(57)【要約】【課題】フィルタを取り付ける際、チューブおよび配管接続部品、接続作業が多くなり、さらフィルタ内部の液体および空気のドレン性を考慮した場合には、その取付方向を規定したり、誤取り付けを防止したりする必要性も発生してコストは大きくなってくる。【解決手段】流体制御部品を直接取り付けることができるマニホールドのブロックに１つのポートがパッキンを介して直接取り付け、もう一方のポートにはチューブ配管が直接取り付けるようにした。【選択図】　図１
2004130571.tif 000002
【特許請求の範囲】
【請求項１】
インクジェット記録装置において、１次側および２次側の２ポートを有していて、インク流路を構成し、且つ流体制御部品を直接取り付けることができるマニホールドのブロックに１つのポートがパッキンを介して直接取り付け、もう一方のポートにはチューブ配管が直接取り付けたことを特徴とした異物除去を目的としたフィルタのハウジング構造。
【請求項２】
前記請求項１に示したハウジング構造を有するフィルタにおいて、
前記マニホールドのブロックにハウジングを取り付けた状態で、チューブ配管接続側ポートがフィルタ内部の最上部あるいはそのごく近傍に配置されていることを特徴としたフィルタのハウジングおよび取付構造。
【請求項３】
請求項１又は２に示したハウジング構造を有するフィルタ構造が、前記マニホールドのブロックと接続される固定側部品と、前記固定側部品からチューブ配管を外さずにチューブ配管と共に着脱でき、且つ外した際にフィルタとしての機能を果たすフィルタエレメントを保持した状態で外れる可動側部品から構成されることを特徴としたフィルタのハウジング構造。
【請求項４】
請求項１乃至３の何れかに示したハウジング構造を有するフィルタ構造が、前記固定側部品から可動側部品を外した際に、内在したインクが外部へこぼれないよう固定側部品が内在したインクを保持することができる容積を持った溜り部を有し、且つ前記インクの溜り部の開口部が上方を向いている状態でマニホールドに固定されていることを特徴としたフィルタのハウジングおよび取付構造。
【請求項５】
請求項３に示した固定側ハウジングを前記マニホールドのブロックにプラスチック射出成形にて一体的に形成したことを特徴とするフィルタのハウジング構造。
【発明の詳細な説明】
【０００１】
【発明の属する技術分野】
本発明はインクジェット記録装置に関し、特にインクまたは洗浄液の流れを制御するインク循環系において液中の異物除去を目的としたフィルタの構造に関するものである。
【０００２】
【従来の技術】
従来フィルタの構造として一般的には１次側および２次側のポート共にチューブ配管が接続される構造となっている物が殆どである。また、インクジェット記録装置のインク循環系の流路を構成し、且つ流体制御部品を直接取り付けることができるマニホールドのブロックに１次側および２次側のポート共にチューブ配管なしで直接取り付けられる構造の物が使用される例も見られる。
【０００３】
【特許文献１】
特開２０００−１４１６９３号公報
【０００４】
【発明が解決しようとする課題】
従来の技術における問題としては以下の内容が挙げられる。
【０００５】
まず第１に、１次側および２次側のポート共にチューブ配管が接続される構造の場合、必然的にチューブおよび配管接続部品、接続作業が多くなり、さらに設置スペースが大きくなるということが挙げられる。フィルタ部分の接続だけではなく、その前後の部品との接続もあるので、ポート数×２の接続作業、部品、スペースが必要になる。また、このタイプのフィルタは独立した部品となるので、装置内部でのフィルタの固定用部品が必要となり、フィルタ内部の液体および空気のドレン性を考慮した場合には、その取付方向を規定したり、誤取り付けを防止したりする必要性も発生してコストは大きくなってくる。さらには、フィルタを交換する場合にはインクで汚れないよう注意が必要となってくる。
【０００６】
次に、マニホールドのブロックに１次側および２次側のポート共にチューブ配管なしで直接取り付けられる構造の場合には、内部のフィルタエレメントの交換作業性まで考慮すると、構造が非常に複雑になってコストが高くなったり、またマニホールド内部流路配置も限定されるので汎用性に欠けるといった問題がある。２つのポートが共にチューブ配管接続なしではあるが、印字するヘッド部分と、装置本体内インク循環系との接続は必ず存在するので、その前記接続部に請求項に示したフィルタを配置できることを考えるとその優位性は無くなってくる。
【０００７】
【課題を解決するための手段】
マニホールドのブロックには、フィルタに流体を導くための流路穴と、その流路穴から外部へ漏れずにフィルタのハウジングに液体を流出するためのＯリング等のパッキンでシールするシール面と、フィルタのハウジングを固定する固定部を形成する。
【０００８】
一方フィルタ側は、前記１次側のマニホールドブロック流路穴から入る流体を２次側の配管に導く流路穴を有し、且つ２次側の配管の方向はインク溜り部の開口部が上方を向いている状態でマニホールドに固定する。
【０００９】
【発明の実施形態】
以下、本発明実施例を図１〜図５の図面に基づいて説明する。
図１は、本発明のフィルタの断面図を示す。
【００１０】
内部構成は、マニホールドブロック１、フィルタエレメント２、フィルタエレメント２を固定しかつシール性を目的としたＯリング３、フィルタエレメント２とＯリング３を保持しマニホールドブロック１に組み込む可動ハウジング４、前記ハウジング４をマニホールドブロック１に固定する、ハウジング固定部品５、２次側配管を可動ハウジング４に固定する配管固定部品６で構成されている。インクは、マニホールドブロック１から流れ込み、フィルタエレメント２を通して上方の２次側流路１４へ流出する構造になっており、内部に溜まったエアもインクと一緒に排出され、フィルタ内部のエア抜け性を向上できる構造である。
【００１１】
図２は、図１の外観図を示す。
【００１２】
マニホールドブロック１には、マニホールドブロック１を流体制御部品に直接取り付ける際のシール材としてＯリングを取り付けるための軸１１と固定用のねじ穴１２を形成している。
【００１３】
図３は、マニホールドブロック１の断面図を示す。
【００１４】
マニホールドブロック１の内部には、フィルタに流体を導くための１次側の流路穴７と、その流路穴７から外部へ漏れずにフィルタエレメント２の可動ハウジング４に液体を流出するためのＯリング３のパッキンでシールするシール面８と、可動ハウジング４を取り付け、かつ固定側部品が内在したインクを保持することができる容積を持ったインク溜り部９、ハウジング固定部品５を取り付ける雄ネジ１０を形成する。
【００１５】
流体制御部からマニホールドブロック１に流れてきたインクは１次側流路穴７を通りインク溜り部９に流れていく構造になっている。
【００１６】
図４は、可動ハウジング４の断面図を示す。
【００１７】
可動ハウジング４は、フィルタエレメント２とＯリング３を保持するハウジング部１３、２次側流路１４、配管固定部品６を取り付ける雄ネジ１５、雄ネジ１５の先端には外部にインクを搬出するチューブ接続用の軸１７、フィルタの位置決め溝１６を形成している。
【００１８】
フィルタエレメント２はフィルタの位置決め溝１６より大きいのでフィルタの位置決め溝１６より２次側へ動くことが出来なく、１次側へはハウジング部１３より大きいＯリング３を圧入することによって、フィルタエレメント２とＯリング３はハウジング部１３に固定することが出来る。前記インク溜り部９にフィルタエレメント２とＯリング３を固定した可動ハウジング４を勘合させることにより１次側流路穴と２次側流路が接続できる。
【００１９】
図５はハウジング固定部品５の断面図である。
【００２０】
ハウジング固定部品５は、マニホールドブロック１に形成した雄ネジ１０と勘合する雌ネジ１８、可動ハウジング４に形成した雄ネジ１５及びチューブ接続用の軸１７を通す穴１９を形成している。
前記の可動ハウジング４をマニホールドブロック１に取り付けた後、雄ネジ１０と雌ネジ１８を締め付けることによって、マニホールドブロック１に可動ハウジング４を固定する。これにより、１次側流路穴と２次側流路のシール性はＯリング３とマニホールドブロック１に形成したシール面８によってシールし、外部にインクが漏れることを阻止している。２次側流路１４には流れてきたインクは、チューブ接続用の軸１７に固定したチューブを経由し外部に接続される。以上により、１次側流路からインクをフィルタリングして異物除去し２次側へインクを送ることが可能になる。
【００２１】
フィルタエレメント２を交換する際は、ハウジング固定部品５をマニホールドブロック１から外した後、マニホールドブロック１から可動ハウジング４を外す。取り外した可動ハウジング４には、フィルタエレメント２とＯリング３と外部配管チューブ２０が着いておりマニホールドブロック１から外部配管チューブ２０配管を外さずに外部配管チューブ２０と共に着脱できる構造である。
【００２２】
また、フィルタエレメント２を取り外した後のマニホールドブロック１には前記したように、インク溜り部９がありインクが零れず保持される。
【００２３】
【発明の効果】
本発明によれば、フィルタ内部のエア抜け性を向上することにより、インク圧力の安定が増し製品の信頼性向上を図れ、固定側部品からチューブ配管を外さずかつ固定側部品が内在したインクを抜くことなくフィルタエレメントの交換が可能になり、作業性の向上が図れる。
【図面の簡単な説明】
【図１】図１は本発明の一実施例に係るフィルタの断面図である。
【図２】図２は本発明の一実施例に係るフィルタの外観図である。
【図３】図３は本発明の一実施例に係るマニホールドブロックの断面図である。
【図４】図４は本発明の一実施例に係る可動ハウジングの断面図である。
【図５】本発明の一実施例に係るハウジング固定部品の断面図である。
【符号の説明】
１…マニホールドブロック、２…フィルタエレメント、３…Ｏリング、４…可動ハウジング、５…ハウジング固定部品、６…配管固定部品、７…１次側流路穴、８…シール面、９…インク溜り部、１０…雄ネジ、１１…軸、１２…ねじ穴、１３…ハウジング、１４…２次側流路、１５…雄ネジ、１６…フィルタの位置決め溝、１７…チューブ接続用の軸、１８…雌ネジ、１９…穴、２０…外部配管チューブ、２１…太い径のチューブ。
【図１】
2004130571.tif 000003
【図２】
2004130571.tif 000004
【図３】
2004130571.tif 000005
【図４】
2004130571.tif 000006
【図５】
2004130571.tif 000007